(57)【要約】【課題】  スイッチ操作においてパネルの中央部に対する汚れや傷を防止し、高い視認性を確保できるようにした表示入力装置を提供する。【解決手段】  表示部材１１の周囲である額縁部１２に、複数のスイッチＳＷを配置し、前記表示部材１１と前記スイッチＳＷを備えた額縁部１２との前面を保護パネル１３で覆うことにより、一体型の表示入力装置１０とする。各スイッチＳＷは表示部材１１の周囲に配置されているため、操作者が保護パネル１３の中央部に触れる機会を少なくできる。よって、保護パネル１３の中央部に対する汚れや傷の発生を防止することができ、高い視認性を確保することが可能となる。【選択図】図１
2008046817.tif 000002
【特許請求の範囲】
【請求項１】
表示部材と、前記表示部材の前面を保護する保護パネルと、操作の有無を検知するスイッチ機構とを備えた表示入力装置であって、
前記スイッチ機構および前記表示部材が前記保護パネルの下面に設けられており、前記スイッチ機構は前記表示部材の外周部に沿って配置されていることを特徴とする表示入力装置。
【請求項２】
前記スイッチ機構が、第１の電極が形成された第１のフィルムと、第２の電極が形成された第２のフィルムとを対向配置して形成されたメンブレンスイッチである請求項１記載の表示入力装置。
【請求項３】
前記第１の電極と前記第２の電極とが対向し合う部分が１つのスイッチを形成しており、前記スイッチが前記外周部の周囲に沿った複数の位置に設けられている請求項２記載の表示入力装置。
【請求項４】
前記第１の電極と前記第２の電極とが、第１の凸部を介して対向配置されている請求項２または３記載の表示入力装置。
【請求項５】
前記保護パネルと前記第１のフィルム又は第２のフィルムとの間で、且つ前記第１の凸部と平面方向において重ならない位置に、第２の凸部が設けられる請求項４記載の表示入力装置。
【請求項６】
前記第１の電極と前記第２の電極の一方が高抵抗体で形成され、他方が低抵抗体又は導電体で形成されている請求項２記載の表示入力装置。
【請求項７】
高抵抗体は、始端部および終端部を有する枠状の電極として形成され、前記低抵抗体又は導電体は前記高抵抗体に対向する電極として形成されている請求項６記載の表示入力装置。
【請求項８】
振動発生装置が設けられており、前記スイッチ機構の操作に応じて前記振動発生装置が駆動させられる請求項１ないし７のいずれかに記載の表示入力装置。
【請求項９】
保護パネルが可撓性を有する請求項１ないし８のいずれかに記載の表示入力装置。
【請求項１０】
請求項１ないし９のいずれか記載の表示入力装置と、前記スイッチ機構に対する操作に基づいて実行される機能を前記表示部材の、前記スイッチ機構と近接する位置に所定の操作情報として表示せしめる制御部と、を備えたことを特徴とする電子機器。
【請求項１１】
前記操作情報の表示が、実行されるソフトウェアに基づいて割り当てられる請求項１０記載の電子機器。
【請求項１２】
前記振動発生装置の振動パターンが、実行されるソフトウェアに基づいて選択される請求項１０または１１記載の電子機器。
【発明の詳細な説明】
【技術分野】
【０００１】
本発明は、パネルを介しての操作入力が可能な表示入力装置及びこれを用いた電子機器に係わり、特にパネルに対する汚れや傷つきを防止して高い視認性と操作性を確保できるようにした表示入力装置及びこれを用いた電子機器に関する。
【背景技術】
【０００２】
以下に示す特許文献１には、４つの押しスイッチをパネルの四隅にそれぞれ配置したタッチパネルに関する発明が記載されている。この発明では、パネルの中央部に９（３×３）種類の位置が割り当てられており、いずれかの位置に対する操作を行ったときに切り替わる前記４つの押しスイッチのオン・オフ状態の組み合せから、操作位置を検出することが可能とされている。
【０００３】
また以下に示す特許文献２には、パネル面の周囲に複数の押圧キーが設けられたタッチパネル装置に関する発明が記載されている。このタッチパネル装置では、機器本体の表面にタッチパネル面が設けられ、その縁部には複数の押圧スイッチが配置されている。
【特許文献１】特開２００３−９９１９８号公報
【特許文献２】特開平７−１９２５７４号公報
【発明の開示】
【発明が解決しようとする課題】
【０００４】
しかし、特許文献１に記載のものでは、操作者が操作のたびにパネルの中央部を触れる必要がある。このため、パネルの前面に汚れや傷が付きやすく、視認性が低下しやすいという問題が生じる。したがって、パネルの前面については、操作者が触れる機会を可能な限り低減できる構成が好ましい。
【０００５】
また上記特許文献２に記載のものでは、機器本体上の前記表示装置の外側となる位置に別部材で形成した押圧キーを配置する構成であるため、表示装置のサイズを大きくすることが困難である。
【０００６】
しかも、機器側において実行されるソフトウェアの変更により、押圧キーの機能に変更があった場合にあっては、その変更後の機能の内容を操作者に知らしめにくい構成であるため、操作性を高め難いという問題がある。
【０００７】
本発明は上記従来の課題を解決するためのものであり、スイッチ操作においてパネルの中央部に触れる機会を極力少なくすることにより、前記中央部に対する汚れや傷の発生を防止し、高い視認性を確保できるようにした表示入力装置を提供することを目的としている。
【０００８】
また本発明は、スイッチの近傍にアイコン（操作情報）を表示させることにより、高い操作性を確保できるようにした表示入力装置を用いた電子機器を提供することを目的としている。
【課題を解決するための手段】
【０００９】
本発明は、表示部材と、前記表示部材の前面を保護する保護パネルと、操作の有無を検知するスイッチ機構とを備えた表示入力装置であって、
前記スイッチ機構および前記表示部材が前記保護パネルの下面に設けられており、前記スイッチ機構は前記表示部材の外周部に沿って配置されていることを特徴とするものである。
【００１０】
本発明では、保護パネルの中央部に対して行う操作の機会を少なくすることができる。このため、前記中央部に対する汚れや傷の発生を防止することができ、高い視認性を確保することが可能となる。
【００１１】
また前記スイッチ機構を表示部材の外周部に沿って配置することができるため、高い操作性を確保すると同時に、機器の小型化が可能となる。
【００１２】
例えば、前記スイッチ機構が、第１の電極が形成された第１のフィルムと、第２の電極が形成された第２のフィルムとを対向配置して形成されたメンブレンスイッチである。
【００１３】
また前記第１の電極と前記第２の電極とが対向し合う部分が１つのスイッチを形成しており、前記スイッチが前記外周部の周囲に沿った複数の位置に設けられているものが好ましい。
【００１４】
上記手段では、表示部材の外周部に複数のスイッチを配置することができるため、高い操作性を維持することができる。
【００１５】
また前記第１の電極と前記第２の電極とが、第１の凸部を介して対向配置されているものが好ましく、さらには前記保護パネルと前記第１のフィルム又は第２のフィルムとの間で、且つ前記第１の凸部と平面方向において重ならない位置に、第２の凸部が設けられるものが好ましい。
【００１６】
上記手段では、前記第１の電極と前記第２の電極との間の非導通状態を確保することができるとともに、操作のときには前記第１の電極と前記第２の電極との間の導通状態とすることができる。すなわち、操作性の高い表示入力装置とすることができる。
【００１７】
あるいは、前記第１の電極と前記第２の電極の一方が高抵抗体で形成され、他方が低抵抗体又は導電体で形成されているものである。
【００１８】
この場合には、高抵抗体は、始端部および終端部を有する枠状の電極として形成され、前記低抵抗体又は導電体は前記高抵抗体に対向する電極として形成される。
【００１９】
上記手段では、前記第１の電極と前記第２の電極とが対向する任意の位置にスイッチを構成することが可能となる。
【００２０】
また、振動発生装置が設けられており、前記スイッチ機構の操作に応じて前記振動発生装置が駆動させられるものが好ましい。
【００２１】
上記手段では、スイッチ操作が行われたことを操作者に知らしめるクリック感触を与えることができる。
また上記においては、保護パネルが可撓性を有するものが好ましい。
【００２２】
また本発明は、上記いずれか記載の表示入力装置と、前記スイッチ機構に対する操作に基づいて実行される機能を前記表示部材の、前記スイッチ機構と近接する位置に所定の操作情報として表示せしめる制御部と、を備えたことを特徴とするものである。
【００２３】
本発明では、スイッチの近傍に前記スイッチの機能の内容を示すアイコン（操作情報）とを表示させることができる。このため、高い操作性を確保することができる。
【００２４】
また前記操作情報の表示が、実行されるソフトウェアに基づいて割り当てられるものが好ましい。
上記手段では、同じスイッチで各種の機能を行わせることができる。
【００２５】
また前記振動発生装置の振動パターンが、実行されるソフトウェアに基づいて選択されるものが好ましい。
【００２６】
上記手段では、操作者にクリック感触を与える振動デバイスの駆動パターンを、スイッチ機能に応じて変更することが可能となり、または実行されるソフトウェアにより選択することが可能となる。このため、選択したスイッチの機能の内容や実行されるソフトウェアの内容について、わかり易い形で操作者に知らしめることができる。
【発明の効果】
【００２７】
本発明では、操作者は装置の外周部を操作するようになり、中央部に触れる機会を極力減らすことが可能となる。よって、保護パネルの中央部に対する汚れや傷の発生を防止することができ、高い視認性を確保することが可能となる。
【００２８】
また本発明は、スイッチの近傍にアイコンを表示させることにより、高い操作性を確保することができる。
【発明を実施するための最良の形態】
【００２９】
図１は本発明の第１の実施の形態を示す表示入力装置の斜視図、図２は表示入力装置の分解斜視図、図３はスイッチ機構の一例を示すとともに図１の３−３線における拡大断面図、図４は図３の分解斜視図、図５はコンタクトシートの一部を構成する第２のフィルムを示す斜視図である。
【００３０】
本発明の表示入力装置は、例えば携帯電話機、携帯型のデジタルオーディオプレーヤ、デジタルカメラ、ＰＤＡ（Personal Digital Assistants）などの電子機器などに搭載される。
【００３１】
図１に示すように、本発明の表示入力装置１０は、画面を表示する表示部材１１と、前記表示部材１１の外周または外縁に沿う額縁部１２とを有している。前記表示部材１１には、図示しない制御部からの指令により、各種アイコン（操作情報）、あるいは静止画、動画などの画像データなどを表示することが可能とされている。
【００３２】
また図２に示すように、表示部材１１および額縁部１２の上部には、例えばアクリルやポリカーボネイトなどの透明な樹脂基板で形成された保護パネル１３が設けられている。前記保護パネル１３は、前記表示部材１１の前面１１Ａを覆っており、この点で前記表示部材１１の前面１１Ａを保護する保護部材として機能している。表示部材１１の前面１１Ａおよび額縁部１２の上部とはほぼ同一平面上に並べて配置されている。
【００３３】
前記保護パネル１３の板厚寸法は、板厚方向に撓み変形可能な程度に薄く形成されている。すなわち、前記保護パネル１３は可撓性を有する部材として形成されている。
【００３４】
前記保護パネル１３の下部には第１の粘着シート１４が配置されている。この実施の形態に示す前記第１の粘着シート１４は、四角い枠型形状（または「略口型形状」ともいう。）として形成されている。前記第１の粘着シート１４の下面には、スイッチ機構２０が設けられる。なお、スイッチ機構２０の詳細については後述する。
【００３５】
そして、前記スイッチ機構２０の下面に第２の粘着シート１５が設けられ、その下部に支持基板１６が設けられている。支持基板１６は、例えばステンレスや鉄などの金属板で形成されている。
【００３６】
前記スイッチ機構２０、第２の粘着シート１５および支持基板１６は前記第１の粘着シート１４同様の枠型形状で形成されており、これらが前記額縁部１２を形成している。
【００３７】
図３に示すように、前記表示入力装置１０が、電子機器の機器本体に取り付けられるときには、前記表示入力装置１０は電子機器の内部に設けられた内部筐体４１に固定される。その際、前記支持基板１６と内部筐体４１との間には、振動を遮断するための部材としてインシュレータ１７が設けられる。
【００３８】
この実施の形態では、前記支持基板１６の一部を部分的に折り曲げた側壁部１６ａが設けられており、この側壁部１６ａの側面に振動発生部材１８が固定されている。前記振動発生部材１８は、例えば磁石の磁界とコイルに流れる電流とが形成する電磁力を利用したもの、あるいは圧電素子などの歪み変形を利用したものなど公知のバイブレータで構成されている。前記振動発生部材１８は、外部から与えられる電流に応じて振動を発生する。ここで発生した振動は、前記支持基板１６を形成する額縁部１２を介して前記保護パネル１３に伝達されるようになっている。この点で前記支持基板１６は、振動発生部材１８が発生した振動を保護パネル１３に伝える振動伝達部材として機能している。なお、振動の発生は、図示しない制御部からの信号に基づいて行われる。
【００３９】
次に、スイッチ機構２０について説明する。
図２に示すように、スイッチ機構２０は、前記保護パネル１３のＺ２方向の下部位置に設けられている。スイッチ機構２０はいわゆるメンブレンスイッチであり、全体的には四角い枠型形状（または「略口型形状」ともいう。）のコンタクトシート２０Ａとして形成されている。すなわち、前記コンタクトシート２０Ａの中央には、前記表示部材１１を配置するための開口部２０Ｂが設けられている。
【００４０】
図３に示すように、前記コンタクトシート２０Ａは、図示Ｚ１側の上層側に設けられた第１のフィルム２１と、図示Ｚ２側の下層側に設けられた第２のフィルム２２を有している。前記第１のフィルム２１の下面（対向面）には第１の電極２１Ａが形成され、前記第２のフィルム２２の上面（対向面）には第２の電極２２Ａが形成されている。図５に示すように、前記第２の電極２２Ａは、前記第２のフィルム２２が延びる長手方向に沿う所定の寸法Ｗ１、およびこれらと直交する幅方向に所定の寸法Ｗ２を有して形成されている。なお、前記第１の電極２１Ａについても、前記第２の電極２２Ａ同様に、前記第１のフィルム２１が延びる長手方向に沿う所定の寸法Ｗ１、およびこれらと直交する幅方向に所定の寸法Ｗ２を有して形成されている。そして、このような第１の電極２１Ａと，第２の電極２２ＡとがＺ方向において互いに対向配置されることにより１つのスイッチＳＷが形成されている。なお、前記第１の電極２１Ａと前記第２の電極２２Ａとは、例えばペースト状の銅や銀を印刷等することにより形成することが可能である。
【００４１】
図３および図４に示すように、前記第１のフィルム２１と前記第２のフィルム２２との間では、前記スイッチＳＷを除く部分に粘着層２３が設けられている。そして、前記第１のフィルム２１と前記第２のフィルム２２とは前記粘着層２３を介して接合されている。
【００４２】
図３，図４に示すように、前記スイッチＳＷ部分で、前記粘着層２３を除く部分には隙間Ｓが設けられている。そして、前記隙間Ｓには、絶縁性の樹脂材料などで形成した複数のドットスペーサ（第１の凸部）２５が設けられている。前記ドットスペーサ２５は例えば半球形状をしている。前記第１の電極２１Ａと前記第２の電極２２Ａとは、前記ドットスペーサ２５，２５の高さ寸法に相当する所定の対向距離を有する状態で対向配置されている。なお、本実施の形態では、ドットスペーサ２５，２５が、前記第２のフィルム２２側に形成された場合を示しているが、前記ドットスペーサ２５，２５は前記第１のフィルム２１側に形成された構成であってもよい。
【００４３】
また図３に示す実施の形態では、前記保護パネル１３の下面側に上記同様のドットスペーサ（第２の凸部）１１ａが形成されている。前記ドットスペーサ１１ａは、前記スイッチＳＷに対向する位置で、前記ドットスペーサ２５，２５とは平面方向において重ならない位置（表示部材１１の上方より透視した状態で重ならない位置）に設けられている。
【００４４】
前記保護パネル１３を図示Ｚ２方向に加圧すると、前記保護パネル１３が変形し、前記ドットスペーサ１１ａが下方に押し込められる。そして、ドットスペーサ１１ａが前記第１のフィルム２１を押圧するため、前記第１の電極２１Ａが下方に凸状に撓み変形させられる。このとき、前記第１の電極２１Ａが前記第２の電極２２Ａに接触するため、両者の間を導通状態（オン状態）とすることができる。また前記保護パネル１３に対する前記加圧を解除すると、前記保護パネル１３は変形前の平坦な状態に復帰するため、前記第１の電極２１Ａと前記第２の電極２２Ａとの間を非導通状態（オフ状態）とすることができる。すなわち、前記コンタクトシート２０Ａに設けられたスイッチＳＷは、操作の有無を検出するメンブレン型のスイッチ機構を構成している。
【００４５】
図６Ａ，Ｂは本発明の第２の実施の形態としての表示入力装置に搭載されるスイッチ機構を示し、図６Ａは第１のフィルムを示す平面図、図６Ｂは第２のフィルムを示す平面図である。図７は図６Ａ，Ｂに示すスイッチ機構の断面図、図８は図６Ａ，Ｂに示すスイッチ機構の検出用の回路図である。
【００４６】
第２の実施の形態に示す表示入力装置が、上記表示入力装置１０と異なる点は、上記スイッチ機構２０の代わりにスイッチ機構３０を採用した点にあり、その他の構成は表示入力装置１０と同様である。したがって、以下の説明においては、主として上記表示入力装置１０と異なる点について説明する。
【００４７】
図６Ａ，Ｂおよび図７に示すように、第２の実施の形態に示す表示入力装置では、スイッチ機構３０が互いに対向配置された第１のフィルム３１と第２のフィルム３２とを有している。一方の第１のフィルム３１は前記保護パネル１３の外周部に固定されており、他方の第２のフィルム３２は上記同様の支持基板１６上に固定されている。
【００４８】
前記第１のフィルム３１と第２のフィルム３２とが対向する領域には、外側スペーサ３４が設けられ、それよりも内側に内側スペーサ３３が設けられている。
【００４９】
前記第１のフィルム３１の対向面３１ａには第１の電極３５が形成されており、前記第２のフィルム３２の対向面３２ａには第２の電極３６が形成されている。そして、前記第１の電極３５と前記第２の電極３６とは所定の隙間Ｓを介して対向している。前記第１の電極３５および前記第２の電極３６は、前記表示部材１１の外側の位置である額縁部１２に形成されている。
【００５０】
すなわち、図６Ａに示すように、前記第１の電極３５は前記第１のフィルム３１の対向面３１ａ上に一周に渡って枠状に形成されている。ただし、前記第１の電極３５は、隅部の１箇所に始端部３５ａおよび終端部３５ｂとを有しており、前記始端部３５ａと終端部３５ｂとの間は電気的に切断された状態にある。一方、図７Ｂに示すように、前記第２の電極３６は前記第１のフィルム３１の対向面３１ａ上に一周に渡って切れ目無く形成されている。すなわち、前記第２の電極３６は、前記第１の電極３５に示すような端部（始端部３５ａ，終端部３５ｂ）を有しない連続的な枠状の電極として形成されている。ただし、第２の電極３６は必ずしも枠状である必要はない。すなわち、前記第２の電極３６は前記第１の電極３５と接触できる位置にあればよく、例えば前記第１の電極３５と同じ形状でもあってもよい。
【００５１】
前記第１の電極３５は、抵抗率の高い抵抗体材料を印刷することにより高抵抗部材として形成されている。他方、前記第２の電極３６は、前記第１の電極３５よりも低い抵抗率からなる抵抗体材料を印刷等することにより低抵抗部材として形成されている。あるいは前記第２の電極３６はＣｕ、ＡｇまたはＡｕ膜などにより、導電体として形成されているものであってもよい。
【００５２】
第２の実施の形態では、前記保護パネル１３の縁部、すなわち額縁部１２をＺ２方向に加圧すると、前記保護パネル１３がわすかに図示Ｚ２方向に凸状に変形させられる。これにより、前記第１の電極３５が前記第２の電極３６に接触する導通状態（オン状態）に設定される。また前記加圧を解除すると、前記保護パネル１３は変形前の平坦な状態に戻るため、前記第１の電極３５が前記第２の電極３６から離れる非導通状態（オフ状態）に設定することができる。
【００５３】
このため、前記第１の電極３５の始端部３５ａと終端部３５ｂとの間に所定の電圧を印加しておくと、前記第１の電極３５が前記第２の電極３６に接触したときに、前記第２の電極３６からその位置に相当する検出電圧Ｅｏを検出することが可能である。すなわち、図８の回路図に示すように、前記第１の電極３５の始端部３５ａと終端部３５ｂとの間の長さ寸法をＬ、印加電圧をＥとし、前記第１の電極３５と前記第２の電極３６との接触点（接点）Ｐと前記終端部３５ｂまでの長さ寸法をａと規定すると、前記第２の電極３６が導電体である場合には前記第２の電極３６から（ａ／Ｌ）・Ｅに相当する検出電圧Ｅｏを得ることができる。また前記第２の電極３６が低抵抗体である場合には、前記第２の電極３６のインピーダンスに応じた検出電圧Ｅｏを検出することができる。すなわち、スイッチ機構３０では、前記第２の電極３６の検出電圧Ｅｏを取得することにより、操作者による操作位置（接触点（接点）Ｐの位置）を検知することが可能である。
【００５４】
次に、上記表示入力装置を搭載した電子機器について説明する。
図９は表示入力装置を搭載した電子機器の一例を示す平面図である。
【００５５】
図９に示す電子機器４０は、例えば携帯型のデジタルオーディオプレーヤである。この電子機器４０の表面には、上述の第１の実施の形態に示す表示入力装置１０が設けられている。電子機器４０の内部には、ハードディスクまたはフラッシュメモリなど半導体メモリからなる記憶手段、さらには各種の動作を制御する制御部などが設けられている。
【００５６】
図９に点線で示した長方形の部分は、上記スイッチＳＷを示している。この実施の形態に示す電子機器４０では、左右両側に３×２ヶのスイッチＳＷを有し、上下両側に４×２ヶのスイッチＳＷを有しており、全体として合計１４ヶのスイッチＳＷが設けられている。なお、スイッチＳＷの数は、電子機器４０の仕様に応じて適宜変更可能である。
【００５７】
電子機器４０の電源を投入すると、例えば図９に示すような表示が前記表示部材１１に表示される。すなわち、表示部材１１の中央には、アーティスト名や、曲名、あるいは再生時間など、再生時に特に操作を要しない情報が表示されている。また表示部材１１の外周部で、且つ前記スイッチＳＷ１の近傍には早送りボタンの機能を示すアイコン（操作情報）が表示され、スイッチＳＷ２の近傍には再生ボタンの機能を示すアイコンが表示される。以下同様に、スイッチＳＷ３の近傍には停止ボタンの機能を示すアイコンが、スイッチＳＷ４の近傍には早戻しボタンの機能を示すアイコンが、スイッチＳＷ５の近傍にはミュートボタンの機能を示すアイコンが、スイッチＳＷ６の近傍には音量低減用ボタンの機能を示すアイコンが、スイッチＳＷ７の近傍には音量増幅用ボタンの機能を示すアイコンが、それぞれアイコンが表示されるようになっている。
【００５８】
なお、その他のスイッチＳＷ８ないしスイッチＳＷ１４の近傍についても、必要に応じて各種の機能を示すアイコン（例えばカーソル移動用のアイコンや決定用のアイコンなど）を表示することが可能である。
【００５９】
操作者が、例えば再生ボタンを示すアイコンの近傍に位置するスイッチＳＷ２を操作すると、前記スイッチＳＷ２がオン状態に切り替わる。そして、制御部は、前記スイッチＳＷ２がオン状態に切り替わったことを検知すると、曲の再生動作を開始させる。同様に、操作者が停止ボタンの機能を示すアイコンの近傍に位置するスイッチＳＷ３を操作すると、前記スイッチＳＷ３がオフ状態に切り替わるため、制御部は前記再生動作を停止させる。
【００６０】
また各スイッチＳＷが、オン状態またはオフ状態に切り替わるときには、制御部は前記振動発生部材１８に所定の電流を与え、保護パネル１３を振動させる。これにより、操作者の指に振動が伝わるため、操作者にクリック感を与えることが可能となる。よって、操作者は、スイッチに対する操作が受け付けられたことを知ることができる。
【００６１】
なお、前記振動発生装置１８の振動パターンは、実行されているソフトウェアに基づいて選択されるものが好ましい。このような構成では、操作者にクリック感触を与える振動の駆動パターンを、選択されたスイッチＳＷの機能に応じて変更することが可能となり、または実行されているソフトウェアにより選択することが可能となる。このため、操作者に対し、選択したスイッチＳＷの機能の内容や実行されるソフトウェアの内容をわかり易い形で知らしめることが可能である。
【００６２】
この電子機器４０では、上記表示入力装置１０を採用することにより、複数のスイッチＳＷを保護パネル１３内に設けた表示部材１１周囲である額縁部１２に沿って配置することができる。
【００６３】
このため、可能な限り大型の表示部材１１を採用することができる。すなわち、表示部材１１のサイズを、電子機器４０に搭載可能な範囲内で最大なものを使用することができる。
【００６４】
しかも、各スイッチＳＷおよびアイコンは前記額縁部１２またはその近傍に配置されるため、操作者が保護パネル１３の中央部を触れる機会を少なくできる。このため、保護パネル１３の特に中央部に対する汚れや傷つきの発生を効果的に防止することが可能となる。よって、表示部材１１については高い視認性を確保することができる。
【００６５】
また各スイッチＳＷの操作情報を示すアイコンと各スイッチＳＷとを近接して配置させることができるため、操作性を向上させることが可能である。
【００６６】
以上の点は、電子機器４０の表面に、上記第２の実施の形態に示す表示入力装置１０を採用した場合についても同様である。すなわち、上記のように第２の実施の形態に示す表示入力装置１０のスイッチ機構３０では、制御部は前記検出電圧Ｅｏから操作位置（接触点（接点）Ｐの位置）を検知することが可能である。例えば、検出電圧Ｅｏの値が、４．５Ｖから４．７Ｖの範囲である場合には、スイッチＳＷ１が操作されたことを検知し、あるいは検出電圧Ｅｏの値が４．０から４．２Ｖの範囲である場合には、スイッチＳＷ２が操作されたことを検知することができる。すなわち、前記検出電圧Ｅｏの値と各スイッチＳＷの位置関係とを対応付けておくことにより、前記制御部はいずれのスイッチＳＷが操作されたかを検出することが可能である。
【００６７】
そして、この場合においても、各スイッチＳＷの近傍、すなわち前記額縁部１２の近傍にアイコンを表示させることにより、上記同様高い視認性および操作性を確保することが可能となる。
【００６８】
またこのような検出電圧Ｅｏの値と各スイッチＳＷの位置関係は、制御部内のソフトウェアにより任意に設定することが可能である。このため、スイッチＳＷおよびアイコンの位置は実行されるソフトウェアの内容に応じて、最適な位置に設定することができる。
【００６９】
しかも、各スイッチＳＷに割り当てられる機能は、そのとき実行されるソフトウェアの種類により異ならせることができる。すなわち、上記のように電子機器４０が、デジタルオーディオプレーヤとして動作するときには、それに応じたソフトウェアが起動され、上記のようにスイッチＳＷ１に早送りボタンを割り当て、またこれに応じたアイコン（右向き二重の三角間マーク）がスイッチＳＷ１の近傍に表示される。これに対し、前記電子機器４０が、例えばデジタル式のラジオ機器としても動作する場合であって、ラジオモードが選択された場合にはスイッチＳＷ１に選局ボタンなどを割り当て、さらにはこれに対応するアイコンを前記スイッチＳＷ１の近傍に表示させることが可能である。
【００７０】
なお、上記第２の実施の形態では、高抵抗部材からなる前記第１の電極３５を備えた前記第１のフィルム３１が図示Ｚ１方向の保護パネル１３側に設けられ、低抵抗部材または導電体からなる前記第２の電極３６を備えた前記第２のフィルム３２が図示Ｚ２側に設けられた構成を示したが、本発明はこれに限られるものではない。すなわち、前記第１のフィルム３１が図７のＺ２側に設けられ、前記第２のフィルム３２がＺ１方向の保護パネル１３側に設けられた構成であってもよい。
【００７１】
さらに保護パネル１３の下面と第１のフィルム３１の上面のいずれか一方に、前記電極が延びる長手方向に沿って一定の間隔でドットスペーサを並べた構成とするものであってもよい。この場合には、第１の電極３５と第２の電極３６との間の接触を確実に行わせることができる。また検出される電圧値の種類をドットスペーサの数と同数に設定することが可能となる。このため、制御部における操作位置（接触点（接点）Ｐの位置）の特定を容易化することができる。
【図面の簡単な説明】
【００７２】
【図１】本発明の第１の実施の形態を示す表示入力装置の斜視図、
【図２】表示入力装置の分解斜視図、
【図３】スイッチ機構の一例を示すとともに図１の３−３線における拡大断面図、
【図４】図３の分解斜視図、
【図５】コンタクトシートの一部を構成する第２のフィルムを示す斜視図
【図６Ａ】本発明の第２の実施の形態としての表示入力装置に搭載されるスイッチ機構の第１のフィルムを示す平面図、
【図６Ｂ】本発明の第２の実施の形態としての表示入力装置に搭載されるスイッチ機構の第２のフィルムを示す平面図、
【図７】図６Ａ，Ｂに示すスイッチ機構の断面図、
【図８】図６Ａ，Ｂに示すスイッチ機構の検出用の回路図
【図９】表示入力装置を搭載した電子機器の一例を示す平面図、
【符号の説明】
【００７３】
１０  表示入力装置
１１  表示部材
１１Ａ  前面
１１ａ  ドットスペーサ（第２の凸部）
１２  額縁部
１３  保護パネル
１４  第１の粘着シート
１５  第２の粘着シート
１６  支持基板
１７  インシュレータ
１８  振動発生部材
２０  スイッチ機構
２０Ａ  コンタクトシート
２１  第１のフィルム
２１Ａ  第１の電極
２２  第２のフィルム
２２Ａ  第２の電極
２３  粘着層
２５  ドットスペーサ（第１の凸部）
３０  スイッチ機構
３１  第１のフィルム
３２  第２のフィルム
３５  第１の電極
３５ａ  始端部
３５ｂ  終端部
３６  第２の電極
４０  電子機器
４１  内部筐体
ＳＷ，ＳＷ１〜ＳＷ１４  スイッチ
【図１】
2008046817.tif 000003
【図２】
2008046817.tif 000004
【図３】
2008046817.tif 000005
【図４】
2008046817.tif 000006
【図５】
2008046817.tif 000007
【図６Ａ】
2008046817.tif 000008
【図６Ｂ】
2008046817.tif 000009
【図７】
2008046817.tif 000010
【図８】
2008046817.tif 000011
【図９】
2008046817.tif 000012